(57)【特許請求の範囲】
【請求項１】
映画、ビデオ、又はテレビ製作のための方法であって、
（１）オーディオシーケンス、（２）ビデオシーケンス、及び（３）オーディオ及びビデオシーケンスのうちの１つの記録データに関する製作情報を生成するステップと、
前記生成した製作情報にタイミング情報をタギングするステップと、
前記生成した製作情報をディスプレイ上に表示するステップと、
前記タギングした製作情報を記録するステップと、
を含み、前記記録ステップはスレートの拍子木を使用して自動的に開始され、
前記タギングした製作情報を対応する記録データに関連付けるステップをさらに含む、ことを特徴とする方法。
【請求項２】
前記関連付けられる製作情報が、前記対応する記録データにメタデータとして添付される、
ことを特徴とする請求項１に記載の方法。
【請求項３】
前記メタデータが、前記タイミング情報により参照される製作時間内の特定の時点で前記対応する記録データに組み込まれる、
ことを特徴とする請求項２に記載の方法。
【請求項４】
前記メタデータが、前記対応する記録データに追加データとして組み込まれる、
ことを特徴とする請求項２に記載の方法。
【請求項５】
前記メタデータが、前記対応する記録データにウォーターマークとして挿入される、
ことを特徴とする請求項２に記載の方法。
【請求項６】
前記映画、ビデオ、又はテレビによる画像及び音声の取得が終了した後に、前記生成した製作情報が前記対応する記録データに関連付けられる、
ことを特徴とする請求項１に記載の方法。
【請求項７】
前記スレートが逆さまに保持されて、前記製作情報がショットの最後に関して記録されていることを示す場合、ポジションセンサからの読み取りを使用してテールフラグを記録するステップをさらに含む、
ことを特徴とする請求項１に記載の方法。
【請求項８】
前記拍子木をクラップして前記記録ステップを開始した場合、前記タイミング情報の表示色が反転する、
ことを特徴とする請求項７に記載の方法。
【請求項９】
ＭＯＳフラグをスレートログに挿入して、特定のシーン及びテイクに関して無音が予想されることをポストプロダクション処理ステーションに指示するステップをさらに含む、
ことを特徴とする請求項１に記載の方法。
【請求項１０】
ポストプロダクション処理において、前記タギングした製作情報が対応する記録データに関連付けられる、
ことを特徴とする請求項１に記載の方法。
【請求項１１】
前記ポストプロダクション処理において、音声レコーダからのメタデータがネーミング情報を提供できるようにするステップをさらに含む、
ことを特徴とする請求項１０に記載の方法。
【請求項１２】
視覚的識別のためにカメラに事前にスレートを入れることができるようにするステップをさらに含む、
ことを特徴とする請求項１に記載の方法。
【請求項１３】
映画、ビデオ、又はテレビ製作のためのスレートであって、
タイムコードジェネレータ及び少なくとも１つのポストプロダクション処理ステーションと通信するように構成されたインターフェイスと、
（１）オーディオシーケンス、（２）ビデオシーケンス、及び（３）オーディオ及びビデオシーケンスのうちの１つの記録データに関する製作情報を受け取ってタギングするように構成されたプロセッサと、
を備え、前記製作情報に、前記タイムコードジェネレータから取得したタイミング情報がタギングされ、
前記製作情報を表示するように構成されたディスプレイと、
前記プロセッサに結合された拍子木と、
前記タギングした製作情報を記録してこれを対応する記録データに関連付けるように構成されたレコーダと、
をさらに備え、
前記拍子木を使用して前記記録を開始する、
ことを特徴とするスレート。
【請求項１４】
前記スレートが逆さまに保持されて、前記製作情報がショットの最後に関して記録されていることを示す場合にテールフラグを記録するためのポジションセンサをさらに備える、
ことを特徴とする請求項１３に記載のスレート。
【請求項１５】
前記拍子木をクラップして記録ステップを開始した場合、前記ディスプレイが前記タイミング情報の色を反転させて表示する、
ことを特徴とする請求項１４に記載のスレート。
【請求項１６】
映画、ビデオ、又はテレビ製作のためのコンピュータファイルを記憶するコンピュータ可読媒体であって、前記コンピュータファイルは実行可能ＸＭＬ命令を含み、前記、ＸＭＬ命令は、コンピュータに、
（１）オーディオシーケンス、（２）ビデオシーケンス、及び（３）オーディオ及びビデオシーケンスのうちの１つの記録データに関する製作情報を生成させ、
前記生成した製作情報にタイミング情報をタギングさせ、
前記生成した製作情報をディスプレイ上に表示させ、
前記タギングした製作情報を記録させ、そして、
前記タギングした製作情報を対応する記録データに関連付けさせ、
そして、前記記録はスレートの拍子木を使用して開始される、
ことを特徴とするコンピュータ可読記憶媒体。
【請求項１７】
前記関連付けられる製作情報が、前記記録データにメタデータとして添付される、
ことを特徴とする請求項１６に記載の記憶媒体。
【請求項１８】
前記メタデータが、前記タイミング情報により参照される製作時間内の特定の時点で前記記録データに組み込まれる、
ことを特徴とする請求項１７に記載の記憶媒体。
【請求項１９】
前記メタデータが、前記記録データに追加データとして組み込まれる、
ことを特徴とする請求項１７に記載の記憶媒体。
【請求項２０】
前記メタデータが、前記記録データにウォーターマークとして挿入される、
ことを特徴とする請求項１７に記載の記憶媒体。
【請求項２１】
前記映画、ビデオ、又はテレビによる画像及び音声の取得が終了した後に、前記生成された製作情報が前記記録データに関連付けられる、
ことを特徴とする請求項１６に記載の記憶媒体。
【発明の詳細な説明】
【技術分野】
【０００１】
〔関連出願との相互参照〕
本出願は、２００８年３月１２日に出願された「高性能スレート」という名称の同時係属中の米国仮特許出願第６１／０３６，００５号、２００８年３月１２日に出願された「ダイレクトカメラデイリー」という名称の米国仮特許出願第６１／０３６，０１０号、及び２００８年１２月２３日に出願された「カメライベントロガー」という名称の米国仮特許出願第６１／１４０，５２０号の優先権の利益を主張するものである。上記仮出願の開示は、引用により本明細書に組み入れられる。
【０００２】
本発明は、映画、ビデオ、又はテレビ製作に関し、より詳細には、このような映画、ビデオ、又はテレビ製作中のオーディオ及びビデオシーケンスに関する製作情報の生成、表示、及び記録に関する。
【背景技術】
【０００３】
動画及びビデオテープの製作では、通常、画像に音声を同調させるためにスレートが使用される。スレートは、製作中に記録された特定のシーン及びテイクを識別してこれにマーキングするためにも使用される。フィルム又はビデオテープの製作中にタイムコードを生成して記録するために従来技術が開発されてきた。１つのこのような技術としてスレートが挙げられ、これには、タイムコードを表示するためのディスプレイ、及び製作関連情報を手書き入力できる面が備えられる。他の技術として、製作中のフィルム又はビデオテープのビデオ部分及び音声部分中に記録するためのビデオタイムコードを生成して表示することが挙げられる。
【発明の概要】
【課題を解決するための手段】
【０００４】
１つの実施構成では、映画、ビデオ、又はテレビ製作のための方法を開示する。この方法は、（１）オーディオシーケンス、（２）ビデオシーケンス、及び（３）オーディオ及びビデオシーケンスのうちの１つの記録データに関する製作情報を生成するステップと、生成した製作情報にタイミング情報をタギングするステップと、生成した製作情報をディスプレイ上に表示するステップと、タギングした製作情報を記録するステップとを含み、この記録ステップはスレートの拍子木を使用して自動的に開始され、タギングした製作情報を対応する記録データに関連付けるステップをさらに含む。
【０００５】
別の実施構成では、映画、ビデオ、又はテレビ製作のためのスレートを開示する。このシステムは、タイムコードジェネレータ及び少なくとも１つのポストプロダクション処理ステーションと通信するように構成された無線周波数インターフェイスと、（１）オーディオシーケンス、（２）ビデオシーケンス、及び（３）オーディオ及びビデオシーケンスのうちの１つの記録データに関する製作情報を受け取ってタギングするように構成されたプロセッサとを備え、製作情報には、タイムコードジェネレータ及びカメラロギング装置から取得したタイミング情報がタギングされ、製作情報を表示するように構成されたディスプレイと、プロセッサに結合された拍子木と、タギングした製作情報を記録して対応する記録データに関連付けるように構成されたレコーダとをさらに備え、拍子木を使用して記録を開始する。
【０００６】
さらなる実施構成では、映画、ビデオ、又はテレビ製作のためのコンピュータファイルを記憶するコンピュータ可読記憶媒体を開示する。コンピュータファイルは、コンピュータに、（１）オーディオシーケンス、（２）ビデオシーケンス、及び（３）オーディオとビデオシーケンスのうちの１つの記録データに関する製作情報を生成させ、生成した製作情報にタイミング情報をタギングさせ、ディスプレイに生成された製作情報を表示させ、タギングした製作情報を記録させる実行可能ＸＭＬ命令を含み、この記録はスレートの拍子木を使用して開始され、コンピュータファイルは、コンピュータに、このタギングした製作情報を対応する記録データに関連付けさせる実行可能ＸＭＬ命令をさらに含む。
【０００７】
当業者には、以下の詳細な説明及び添付図面を検討した後に本発明のその他の特徴及び利点がより容易に明らかになるであろう。
【図面の簡単な説明】
【０００８】
【図１】映画、ビデオ、又はテレビ製作中にオーディオ及びビデオシーケンスに関する製作情報を生成し、表示して記録するための処理を示すフロー図である。
【図２】映画、ビデオ、又はテレビ製作中のオーディオ及びビデオシーケンスに関する製作情報を生成し、表示して記録するように構成された強化型スレートの１つの例を示す図である。
【図３】スレートが、拍子木を閉じることによりトリガされるログイベントを取り込んだときのディスプレイ構成を示すように構成された強化型スレートの別の例を示す図である。
【図４】本発明の１つの実施構成による強化型スレートの背面図を示す図である。
【図５】スレートに取り付けられたＳＤメモリカードの形の記憶装置を示す図である。
【図６】電子機器を取り外した筺体の正面図を示す図である。
【図７】電子機器を取り外した筺体の背面図を示す図である。
【図８】本発明の１つの実施構成による強化型スレートのブロック図である。
【発明を実施するための形態】
【０００９】
本明細書で開示するいくつかの実施構成は、映画、ビデオ、又はテレビ製作中にオーディオ及びビデオシーケンスに関する製作情報を生成し、表示して記録するための技術を提供する。１つの実施構成では、表示技術が、拍子木と、日付、タイムコード、監督、現在のシーン、テイク、ロール、カメラナンバー、及びその他の情報などの製作情報を表示するためのディスプレイ及びプロセッサを内蔵する筺体とを含む強化型スレートを構成することを含む。さらに、記録技術が、メタデータとしてタイミング情報をタギングされた生成した製作情報を、オーディオ及びビデオシーケンスからなる対応する記録データに関連付けることを含む。この説明を読んだ後に、本発明を様々な実施構成及び用途で実施する方法が明らかになるであろう。しかしながら、本明細書では本発明の様々な実施構成について説明するが、これらの実施構成は一例として提供するものにすぎず、限定的なものではないことを理解されたい。従って、この様々な実施構成についての詳細な説明を、本発明の範囲又は幅を限定するものであると解釈すべきではない。
【００１０】
１つの実施構成では、強化型スレートが、映画、ビデオ、又はテレビ製作中の様々な情報を容易に表示して記録するためのコンピュータ機能（処理、記憶、入力／出力）を含む。強化型スレートは、拍子木及びディスプレイを含む。この拍子木を使用して、タイムコードをタイムスタンプされた製作情報を書き込むためのファイル書き込み処理を開始する。強化型スレートを従来の方法で「クラップ」すると、この強化型スレートが、（Ａｐｐｌｅ社のＦｉｎａｌ  Ｃｕｔ  Ｐｒｏ編集システムにインポートできる拡張可能マークアップ言語（ＸＭＬ）ファイルなどの）フォーマットファイルに製作情報を書き込む。１つの実施構成例では、フィルム又はテープ転送ログを変換するアプリケーションが、Ａｖｉｄ編集システムにインポートできるＡＳＣＩＩのフォーマット（テキストファイル）であるＡｖｉｄ．ＡＬＥフォーマットを使用する。通常、スレートは、最低でも１製作日当たり１つのＸＭＬ、ＡＬＥファイルを生成する必要がある。
【００１１】
さらに、ディスプレイは、映画、ビデオ、又はテレビ製作に関する日付、タイムコード、監督、シーン、テイク、ロール、カメラナンバー、及びその他の情報などの製作情報を示すように構成される。例えば、強化型スレートの１つの実施構成はタッチスクリーンモニタを含み、これにスタイラスで書き込まれた（監督名、シーンナンバーなどの）情報を受け入れ、タイミング情報をタギングされた入力情報を自動的に記録してメタデータファイルを作成する。その後、これらのメタデータファイルを（メモリカード又は無線などにより）コンピュータに転送して、（タイムコードなどを使用して）対応する記録済みのオーディオ及び／又はビデオデータに関連付けることができる。
【００１２】
図１は、映画、ビデオ、又はテレビ製作中にオーディオ又はビデオシーケンスに関する製作情報を生成し、表示して記録するための処理を示すフロー図１００である。ボックス１１０において、オーディオ及びビデオシーケンスの少なくとも一方に関する製作情報が生成される。上述したように、入力／出力装置から監督名又は現在のシーンナンバーなどの製作情報を受け取ることができる。従って、本明細書で使用する場合、「生成する」という用語は「受け取る」という用語を含むという点に留意されたい。次にボックス１１２において、通常はタイムコードジェネレータからタイミング情報が受け取られる（図８を参照）。ボックス１２０において、生成した製作情報にタイミング情報がタギングされ、ボックス１３０において、この生成した製作情報が表示される。１つの実施構成では、プロセッサが、日付、タイムコード、監督、現在のシーン、テイク、ロール、カメラナンバー、及びその他の情報などの製作情報をディスプレイ上に表示するように構成される。
【００１３】
図２は、映画、ビデオ、又はテレビ製作中にオーディオ及びビデオシーケンスに関する製作情報を生成し、表示して記録するように構成された強化型スレート２００の１つの例を示している。図２の例示による実施構成では、スレート２００が、拍子木２１０及びディスプレイ２２０を含む。上述したように、拍子木２１０を使用して、タイムコードをタイムスタンプされた製作情報を書き込むためのファイル書き込み処理を開始する。ディスプレイ２２０は、映画、ビデオ、又はテレビ製作に関する日付２３０、タイムコード２３２、監督２３４、シーン２３６、テイク２３８、ロール２４０、カメラナンバー（又は文字）２４２、及びその他の情報２４４、２４６などの製作情報を示す。図２の例示による実施構成では、ディスプレイ２２０がタッチスクリーンモニタとして構成され、これにスタイラスで書き込んだ情報を受け入れる。例えば、スタイラス又はスクリーン上の「仮想」キーボードを使用して、監督名（「Ｗａｙｎｅ」）がモニタに書き込まれる。文字認識ソフトウェアを使用して名前を表示することができる。ディスプレイ２２０は、タイミング情報をタギングされた入力情報を自動的に記録してメタデータファイルを作成する。次に、これらのメタデータファイルを（メモリカード又は無線などにより、取り外し可能ＳＤメモリカードを示す図５を参照）コンピュータに転送し、その後、（タイムコードなどを使用して）対応する記録済みのオーディオ及び／又はビデオデータに関連付けることができる。アンテナ２５０は、マスタータイムコードを無線受信できるようにする。（スレート内のＢｌｕｅｔｏｏｔｈ及び無線ＬＡＮアンテナ２５２などの）その他のアンテナは、データをダウンロード又はアップロードするための通信を可能にする。スレート２００はまた、映画、ビデオ、又はテレビ製作中に様々な情報を容易に表示して記録するためのコンピュータ機能（処理、記憶、入力／出力）も含む。
【００１４】
再び図１を参照すると、ボックス１４０において、タギングした製作情報が記録され、ボックス１５０において、（カメライベントロガーにより記録されるような）オーディオ及びビデオシーケンスからなる対応する記録データに関連付けられる。タギングした製作情報とオーディオ及びビデオシーケンスからなる対応する記録データとの関連付けは、ポストプロダクション処理ステーション内で行われる。さらなる任意の実施構成では、タギングした製作情報が再検討及び／又は編集される。１つの実施構成では、オーディオ及びビデオシーケンスからなる記録済みのデータに、関連する製作情報がメタデータとして添付される。例えば、記録済みのビデオデータ内のタイミング情報により参照される製作時間内の特定の時点（タイムコード）でこのメタデータを組み込むことができる。メタデータを（記録済みのビデオデータに）追加データとして組み込み、又は記録ビデオデータにウォーターマークとして挿入することができる。別の実施構成では、画像及び音声の取得が終了した後に、生成した製作情報がオーディオ及びビデオシーケンスからなる記録データに関連付けられる。すなわち、生成した製作情報を記憶し、その後タイミング情報を使用してこの製作情報を記録データに関連付けることができる。
【００１５】
さらなる実施構成では、処理１００が、スレートのリスト管理を行うための機能を含む。この機能は「カメラレポート」と呼ばれ、ペーパーログの必要性を大幅に低減させる。このレポートは、スレート上の別のスクリーンを介して閲覧及び編集できるソート可能データベースである。
【００１６】
製作情報を生成して表示する際に、いくつかの異なる技術を使用することができる。例えば、強化型スレート２００は、ケツカッチン（ｔａｉｌ  ｓｌａｔｅ）を示すためにスレートを逆さまに保持する場合にテールフラグ（ｔａｉｌ  ｆｌａｇ）を記録するためのポジションセンサを含むことができる。伝統的に、スレートを逆さまに保持した場合には、ディスプレイは逆さまに示される。しかしながら、本発明のいくつかの実施構成では、スレート２００が逆さまに保持されてはいるが機械可読テールフラグを記録しているということをポジションセンサ（図示せず）が感知した場合、強化型スレート２００はディスプレイの正しい側を上に保持する。スレート又はテールフラグの視覚的位置が逆さまである場合、スレート情報がショットの先頭ではなく最後に関して記録されているので、ポストプロダクション処理ステーションにテイクの最後からコードを「バックタイム（ｂａｃｋｔｉｍｅ）」するように警告が行われる。別の例では、記録技術が、スレートログ内のシーンのタイムコードの開始点にＭＯＳ（「音声無し」）フラグを挿入してマーキングするための「サイレントブループ（ｓｉｌｅｎｔ  ｂｌｏｏｐ）」の提供を含み、このフラグがポストプロダクション処理ステーションに、特定のシーン及びテイクに関して無音が予想されること、及びシーンの開始点にタイムコードがマーキングされていることを警告する。いくつかの実施構成では、テールスティック（ｔａｉｌ  ｓｔｉｃｋ）及びＭＯＳ機能を統合して協働させる。別の例では、拍子木をクラップする動作により、タイムコード３１０の表示色（図３を参照）が反転する。
【００１７】
再び図２を参照すると、ディスプレイ２００を、第１のディスプレイ区域、第２のディスプレイ区域、及び書き込みエリアの３つのセクションに分割することができる。第１のディスプレイ区域は、タイムコード２３２のためのディスプレイを含む。第１のディスプレイ区域は、ビデオ又はフィルムの個々のフレームにラベリングするための協同規格の組である米国映画テレビ技術者協会（ＳＭＰＴＥ）／欧州放送連合（ＥＢＵ）のタイムコードをサポートする。タイムコードは、内部ジェネレータから生成することも、或いは無線受信機から受信することもできる。無線モードにある場合、内部ジェネレータを継続的に妨害して、短期的ＲＦ妨害に対するさらなる耐性をシステムに与えることができる。タイムコードは、１秒あたり２３．９８、２４、２５、２９．９７、又は３０フレームの通常のフレームレートによる標準的なＨＨ：ＭＭ：ＳＳ：Ｆ．Ｆの表示形式で表示することができる。ドロップフレーム形式及びノンドロップフレーム形式のタイムコードがサポートされる。１つの実施構成例では、タイムコード表示が、クラップ後に（３などの）固定数のフレームにわたって静止し、その後（１秒などの）固定時間の間ユーザビットに変化する。
【００１８】
第２のディスプレイ区域は、シーン２３６、テイク２３８、及びサブクリップ２４８を以下のフォーマットで示すためのディスプレイを含む。１つの実施構成では、シーン２３６がＰＰ１２３ＳＳＳという命名法を使用し、この場合Ｐは接頭辞を示し、Ｓは接尾辞を示す。接頭辞は追加シーンを示す。シーンがオリジナルの台本に書かれたシーンであることを示す接頭辞は存在しない。接尾辞は、シーンのカバレッジショット（ｃｏｖｅｒａｇｅ  ｓｈｏｔｓ）を指定する。１つの実施構成例では、接尾辞が、最初の２４個のサブシーンではＡ〜Ｚ、次の２４個のサブシーンではＡＡ〜ＺＺ、最後の２４個のサブシーンではＡＡＡ〜ＺＺＺの範囲に及ぶことができる。別の実施構成では、シーン２３６が、ディスプレイウィンドウのサイズによって決まる実際の限界以下のいずれかの英数字の組み合わせの形で表示される。サブクリップ又はサブテイク２４８は、カメラアシスタントが必要に応じて再スタート（「やり直し」又は「ピックアップ」）を手動でマーキングできるようにする機能である。通常、サブテイクのマーキング動作はカメラ無しで行われ、これによりスレートログ及び／又は取り外し可能媒体上にタイムスタンプが作成される。表示される数字は、主にオペレータによる確認のためのものである。スレート２００は、通常サブクリップの入力に使用されるユーザ定義スイッチを含むことができる。しかしながら、このスイッチは、ＭＯＳなどのより頻繁に使用される機能に対応するように変更することができる。第２のディスプレイ区域は、カメラナンバー２４２及びロール２４０を含むその他のディスプレイを含むこともできる。代替の実施構成では、ディスプレイがＥ−Ｉｎｋ（商標）リーダ／ディスプレイに基づいて構成される。
【００１９】
書き込みエリアは、プロダクション２４４、監督２３４、及び撮影監督２４６の名前を入力するためのスペースを提供する。手書き認識プログラムにより、入力を読みやすいブロック文字に変換することができる。
【００２０】
図４は、本発明の１つの実施構成による強化型スレート２００の背面図である。この図は、標準的なタブレットコンピュータをいかにしてスレートとして構成するかを明確に示している。従って、図４の例示による実施構成では、タブレットコンピュータ２００が筺体４２０に挿入され、電子拍子木２１０、ロガー４３０、及びアンテナ２５０に電気的に接続される。タブレットコンピュータ２００を高耐久化し、機械的に修正して耐久力を高めることができる。図６及び図７は、電子機器を取り外した筺体４２０の正面図及び背面図である。代替の実施構成では、上記の概念が、筺体に収容された標準的なタブレットコンピュータを使用するのではなく、専用の特設ハードウェア装置として実現される。この形では、上記の概念は、スイッチ入力及びＬＥＤディスプレイ装置を含むオペレータインターフェイスを備えたプロセッサ駆動ユニットになる。
【００２１】
追加の変形及び実施構成も可能である。例えば、「音声ロールのみ」の構成により、音声レコーダからのメタデータが、ポストプロダクション処理においてネーミング情報を提供できるようになる。別の例では、「複数カメラ撮影」の構成により、視覚的識別のためにカメラに事前にスレートを入れることができるようになる（すなわち、音声がロールしない）。この構成では、マスター媒体上にある、カメライベントロガーにより取り込まれたカメラメタデータが（Ａ、Ｂ、Ｃ、その他などの）カメラＩＤを示す。タイムコードスレートが「複数」を示すように構成され、通常通りにクラップされる。ポストプロダクション処理により、スレートデータ及び音声が複数のカメラファイルにわたって割り当てる。カメラＩＤ、ロール、及びシーン及びテイクのタイムコードスタンプからファイル名を取得することができる。その他の選択肢として、「別個の拍子木」を使用する（すなわち、全ての又はいくつかのカメラが回っている間に１つのカメラごとに１回クラップ動作を行う）ことを挙げることができる。さらに別の例では、「２以上の製作（撮影）ユニット」の構成が、日付及びタイムコードの複数のインスタンスに起因する曖昧性に対処して、ポストプロダクション処理における曖昧性を避けようとする。
【００２２】
図８は、本発明の１つの実施構成による強化型スレート８００のブロック図である。図８の例示による実施構成では、スレート８００が、拍子木８１０、プロセッサ８２０、ディスプレイ８３０、インターフェイス８４０、レコーダ８５０、タイムコード受信機／ジェネレータ８７０、及びＲＦ受信機８８０を含む。送信機（図示せず）からタイミング情報が発信され、ＲＦ受信機８８０により受信される。受信したタイミング情報により、受信機／ジェネレータ８７０が更新される。インターフェイス８４０は、タイムコード受信機／ジェネレータ８７０と通信するように構成され、レコーダ８５０は、記録した製作データを少なくとも１つのポストプロダクション処理ステーション８６０へ送信する。プロセッサ８２０は、オーディオ及びビデオシーケンスの少なくとも一方に関する製作情報を受け取ってタギングするように構成され、この製作情報に、タイムコードジェネレータ８７０から取得したタイミング情報がタギングされる。ディスプレイ８３０は、製作情報を表示するように構成される。レコーダ８５０は、情報を記録してこの情報をオーディオ及びビデオシーケンスからなる対応する記録データに関連付けるように構成される。拍子木８１０がプロセッサ８２０に結合され、この拍子木８１０を使用して記録を開始する。
【００２３】
さらなる実施構成では、所与のイベントに関連する全てのスレートデータ（例えば、拍子木をクラップしたときに取り込まれるもの全て）が、カメラ上で補助メタデータ、タイムコード及びオーディオチャンネルを利用できないときにスクリーン上に表示するための機械可読表示に変換される。例えば、シーン、テイク、及び監督名を示すスレートのメイン画面が、情報をバーコード形式で簡潔に表示するように変更される。次に、スレートデータの機械可読表示がカメラにより視覚的に取り込まれ、その後抽出されてポストプロダクションにおいて復号される。この実施構成は、主にフィルムベースの取り込みに適用されるが、この技術をビデオ取り込みと重複して使用することもできる。
【００２４】
本発明の様々な実施構成は、電子ハードウェア、コンピュータソフトウェア、又はこれらの技術の組み合わせの形で実現される。実施構成によっては、１又はそれ以上のコンピュータ装置により実行される１又はそれ以上のコンピュータプログラムを含むものもある。一般に、コンピュータ装置は、１又はそれ以上のプロセッサ、（ハードディスクドライブ及びフロッピーディスクドライブ、ＣＤ−ＲＯＭ／ＤＶＤドライブ、フラッシュメモリカード、及び磁気テープドライブなどの揮発性又は不揮発性メモリモジュール及び永続的光学及び磁気記憶装置のような）１又はそれ以上のデータ記憶構成要素、（ゲームコントローラ、タッチスクリーン、マウス及びキーボードなどの）１又はそれ以上の入力装置、及び（ディスプレイ装置などの）１又はそれ以上の出力装置を含む。
【００２５】
コンピュータプログラムは、通常、永続記憶媒体に記憶されてその後ランタイムでメモリにコピーされる実行可能コードを含む。プログラム命令を所定の順序でメモリから取り出すことにより、少なくとも１つのプロセッサがコードを実行する。プログラムコードを実行する場合、コンピュータは、入力及び／又は記憶装置からデータを受け取り、データに対して動作を実行し、その後結果として得たデータを出力及び／又は記憶装置に配信する。
【００２６】
当業者であれば、本明細書で説明した様々な例示的なモジュール及び方法ステップを電子ハードウェア、ソフトウェア、ファームウェア又はこれらの組み合わせとして実現できることを理解するであろう。説明を明確にするために、本明細書では、このハードウェア及びソフトウェア、様々な例示的なモジュール及び方法ステップの互換性についてこれらの機能の観点から大まかに説明した。このような機能がハードウェア又はソフトウェアのいずれの形で実現されるかは、特定の用途及びシステム全体に課せられる設計制約に依存する。当業者であれば、説明した機能を個々の特定の用途のための様々な方法で実施することができるが、このような実施の決定が本発明の範囲からの逸脱を生じると解釈すべきではない。例えば、一般に上記説明はコンピュータ生成ログを提供するものであるが、強化型スレートは、コンピュータ生成ログが全て破壊され又は失われた場合にフェイルセーフ機能を提供するために、拍子木を閉じるという視覚効果とともに従来の音で聞こえるクラップの機能を提供することもできる。また、説明を容易にするためにモジュール又はステップ内の機能をグループ分けした。本発明から逸脱することなく、特定の機能を１つのモジュール又はステップから別のモジュール又はステップへ移すことができる。
【００２７】
さらに、本明細書で開示した実施構成に関して説明した方法のステップ又は技術を、直接ハードウェアの形で、プロセッサにより実行されるソフトウェアモジュールの形で、或いはこれらの組み合わせの形で具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、或いはネットワーク記憶媒体を含む他のいずれかの形の記憶媒体内に存在することができる。記憶媒体例をプロセッサに結合して、プロセッサがこの記憶媒体との間で情報を読み書きできるようにすることができる。代替例では、記憶媒体をプロセッサに統合することもできる。プロセッサ及び記憶媒体をＡＳＩＣ内に存在させることもできる。
【符号の説明】
【００２８】
１００  フロー図
１１０  製作情報を生成
１１２  タイミング情報を受け取り
１２０  生成した製作情報に受け取ったタイミング情報をタギング
１３０  生成した製作情報を表示
１４０  タギングした製作情報を記録
１５０  タギングした製作情報をカメラメタデータに関連付け
【図１】
0005681495.tif 000002
【図２】
0005681495.tif 000003
【図３】
0005681495.tif 000004
【図４】
0005681495.tif 000005
【図５】
0005681495.tif 000006
【図６】
0005681495.tif 000007
【図７】
0005681495.tif 000008
【図８】
0005681495.tif 000009